(57)【要約】
【課題】  ケーブル保持金具からノイズが放射されたり、ケーブル保持金具から外界からの電磁波の悪影響が及ぼされたりするのを防止できるようにする。
【解決手段】  外部導体１０２から露出している同軸ケーブルの内部導体１０１の周辺個所をシールドする際に、本体ケース５０ａ側にシールドケース４０１及びケーブル保持金具５１を設けるとともに、蓋体ケース５０ｂ側にシールドカバー４０２及び第２のシールドカバー４０３を設け、上記同軸ケーブルの内部導体１０１を中にして、シールド部材が対称的になるように配置することにより、シールド部材がアンバランスとなって発生する不都合を防止できるようにする。
【選択図】  図１
0003101238.tif 000002
【実用新案登録請求の範囲】
【請求項１】
一端開口から挿入された同軸ケーブル１００の先端部を収納するための本体ケース５０ａ及び蓋体ケース５０ｂからなるハウジング５０を有し、
上記同軸ケーブル１００の先端部において露出された外部導体１０２の部分を固定保持するケーブル保持金具５１と、上記同軸ケーブル１００の中心に配設された内部導体１０１を同軸コネクタ部５２の内部接触子５４に固定するための固定ネジ５５と、上記外部導体１０２から露出している上記同軸ケーブルの内部導体１０１の周辺個所をシールドするためのシールドケース４０１とを上記本体ケース５０ａ側に設け、
上記同軸ケーブルの内部導体１０１の周辺個所をシールドするためのシールド部材であって、上記シールドケース４０１に対応するシールドカバー４０２と、上記ケーブル保持金具５１に対応する第２のシールドカバー４０３とを上記蓋体ケース５０ｂ側に設けたことを特徴とするテレビ装置と周辺機器間との配線接続用プラグ。
【考案の詳細な説明】
【技術分野】
【０００１】
本考案はテレビ装置と周辺機器間との配線接続用プラグに関し、特に、テレビ装置と周辺機器との間で高周波の信号を送受信するために用いて好適な配線接続用プラグに関するものである。
【背景技術】
【０００２】
従来、この種の配線接続用プラグとして図４に示す構造のものが知られている。この配線接続用プラグは、絶縁性を有する合成樹脂により形成された本体ケース５０ａと、上記本体ケース５０ａに蓋体ケース５０ｂとによりハウジング５０が形成されている。
【０００３】
上記ハウジング５０の内部には、テレビ装置または周辺機器間との間を接続して信号を伝送するための同軸ケーブル１００を固定保持するためのケーブル保持金具５１が設けられている。上記同軸ケーブル１００は、内部導体１０１、外部導体１０２、上記内部導体１０１と外部導体１０２との間に設けられている絶縁体１０３、及びシースと呼ばれる外部被覆体１０４によって構成されている。
【０００４】
上記ハウジング５０には、同軸コネクタ部５２が形成されている。上記同軸コネクタ部５２は、上記ハウジング５０の本体ケース５０ａの面に形成されている円柱部の略中心に形成された貫通孔に埋設される内部接触子と、上記円柱部の外周に被嵌する円筒状の外部接触子とで構成されている。
【０００５】
上記内部接触子は、上記円柱部の中心に形成された貫通孔に埋設されていて、その先端部が上記同軸ケーブルの内部導体１０１に接続されるようになされている。そして、上記同軸ケーブルの内部導体１０１と上記内部接触子の一端部が接続した状態で、固定ネジ５５を締め付けることにより、上記同軸ケーブルの内部導体１０１が上記内部接触子の一端部と電気的に接続した状態で保持される。
【０００６】
上記同軸ケーブル１００は、銅線を編組して構成された外部導体１０２を同軸ケーブル１００の周面に露出させた状態で上記ケーブル保持金具５１に保持されている。上記ケーブル保持金具５１は上記外部接触子と電気的に接続されており、上記外部導体１０２によって外界からの電磁波の影響を抑えて信号を伝達することができる。そのため、上述したように、テレビ装置と周辺機器間との配線接続のように、高周波信号を伝送するために主に使用される。
【０００７】
上述したように、同軸ケーブル１００においては上記外部導体１０２のシールド作用によって外界からの電磁波の影響を抑えたり、或いは伝送中の高周波信号が外部に漏れて外部機器にノイズを発生させたりしないようにしている。
【０００８】
しかしながら、上記同軸ケーブルの内部導体１０１を上記外部接触子に接続している個所においては、上記外部導体１０２からは露出している。このため、この個所が外界からの電磁波の影響を受けたり、或いは伝送中の高周波信号が外部に漏れたりする恐れがある。
【０００９】
そこで、図４に示した配線接続用プラグ４００においては、本体ケース５０ａ側に金属製のシールドケース４０１を配設するとともに、蓋体ケース５０ｂ側にも同じく金属製のシールドカバー４０２を配設して、上記蓋体ケース５０ｂと上記本体ケース５０ａとを閉じて使用している際には、上記外部導体１０２から露出していて、しかも高周波信号が流れる個所を上記シールドケース４０１及びシールドカバー４０２によって確実にシールドするようにしている。
【考案の開示】
【考案が解決しようとする課題】
【００１０】
ところで、導体に高周波電流が流れると、上記導体に隣接する金属には電磁誘導によって起電力が発生して誘導電流が発生することが知られている。この場合には、上記同軸ケーブルの内部導体１０１に流れる高周波信号により、上記シールドケース４０１及びシールドカバー４０２に起電力が発生して高周波の誘導電流が流れる。
【００１１】
上記シールドケース４０１及び上記シールドカバー４０２の面積は略同じに構成されている。また、上記シールドケース４０１及び上記シールドカバー４０２は、上記同軸ケーブルの内部導体１０１を中にして対称位置に存在している。
【００１２】
このため、上記シールドケース４０１に発生した誘導電流と、上記シールドカバー４０２に発生した誘導電流とは打ち消し合うことになる。したがって、上記同軸ケーブルの内部導体１０１に流れる高周波信号により、上記シールドケース４０１及びシールドカバー４０２に誘導電流が流れても、それにより発生する影響は大きくないと思われる。
【００１３】
しかしながら、上記ケーブル保持金具５１は上記シールドケース４０１と接続されているので、上記ケーブル保持金具５１部分にも誘導電流が流れることになる。しかしながら、上記ケーブル保持金具５１に対応するシールド用金属は蓋体ケース５０ｂ側には存在しないので、上記ケーブル保持金具５１の部分から不要な放射が発生したり、或いは外界からの電磁波の悪影響が上記ケーブル保持金具５１の部分から及ぼされたりする恐れがあった。
【課題を解決するための手段】
【００１４】
本考案のテレビ装置と周辺機器間との配線接続用プラグは、一端開口から挿入された同軸ケーブル１００の先端部を収納するための本体ケース５０ａ及び蓋体ケース５０ｂからなるハウジング５０を有し、
上記同軸ケーブル１００の先端部において露出された外部導体１０２の部分を固定保持するケーブル保持金具５１と、上記同軸ケーブル１００の中心に配設された内部導体１０１を同軸コネクタ部５２の内部接触子５４に固定するための固定ネジ５５と、上記外部導体１０２から露出している上記同軸ケーブルの内部導体１０１の周辺個所をシールドするためのシールドケース４０１とを上記本体ケース５０ａ側に設け、
上記同軸ケーブルの内部導体１０１の周辺個所をシールドするためのシールド部材であって、上記シールドケース４０１に対応するシールドカバー４０２と、上記ケーブル保持金具５１に対応する第２のシールドカバー４０３とを上記蓋体ケース５０ｂ側に設けたことを特徴とするテレビ装置と周辺機器間との配線接続用プラグである。
【考案の効果】
【００１５】
本考案のテレビ装置と周辺機器間との配線接続用プラグは、上述したように、外部導体１０２から露出している上記同軸ケーブルの内部導体１０１の周辺個所をシールドする際に、本体ケース５０ａ側にシールドケース４０１及びケーブル保持金具５１を設けるとともに、蓋体ケース５０ｂ側にシールドカバー４０２及び第２のシールドカバー４０３を設け、上記同軸ケーブルの内部導体１０１を中にして、各々のシールド部材が対称的になるように配置したので、シールド部材がアンバランスとなることにより発生する不都合を防止することができる。
また、上記同軸コネクタ部５２に対応させて第２のシールドカバー４０３を配設したので、上記ケーブル保持金具５１から外部にノイズを放射したり、或いは外界からの電磁波が上記ケーブル保持金具５１に入射したりするのを防止して、電圧定在波比を安定させることができる。
【考案を実施するための最良の形態】
【００１６】
以下に、図１〜図３を参照しながら本考案のテレビ装置と周辺機器間との配線接続用プラグの実施の形態を説明する。なお、図１及び図２において、図４と同一部分には同一の符号を付して詳細な説明を省略する。
【００１７】
本実施の形態の配線接続用プラグ１０は、絶縁性を有する合成樹脂により形成された本体ケース５０ａと、上記本体ケース５０ａに蓋体ケース５０ｂとによりハウジング５０を形成している。
【００１８】
そして、上記ハウジング５０の内部に、テレビ装置または周辺機器間との間を接続して信号を伝送するための同軸ケーブル１００を固定保持するためのケーブル保持金具５１を設けている。上記同軸ケーブル１００は、内部導体１０１、外部導体１０２、上記内部導体１０１と外部導体１０２との間に設けられている絶縁体１０３、及び外部被覆体１０４によって構成されている。
【００１９】
上記ハウジング５０には、図３に示すように、本実施の形態の配線接続用プラグ１０を使用してテレビ受像機３１とビデオテープレコーダ３２との間を同軸ケーブル１００で接続する際に、上記テレビ受像機３１及び上記ビデオテープレコーダ３２に配設されている接続端子（図示せず）に差し込むための同軸コネクタ部５２が形成されている。
【００２０】
図２に示すように、上記同軸コネクタ部５２は、上記ハウジング５０の本体ケース５０ａの面に形成されている円柱部５３の略中心に形成された貫通孔に埋設される内部接触子５４と、上記円柱部５３の外周に被嵌する円筒状の外部接触子６０とで構成されている。
【００２１】
上記内部接触子５４は、上記円柱部５３に形成された貫通孔に埋設されていて、その一端部５４ａが上記同軸ケーブルの内部導体１０１に接続されるようになされている。そして、上記同軸ケーブルの内部導体１０１と上記内部接触子５４の一端部５４ａとが接続した状態で、固定ネジ５５を締め付けることにより、上記同軸ケーブルの内部導体１０１が上記内部接触子５４の一端部５４ａと電気的に接続した状態で保持される。
【００２２】
上記同軸ケーブル１００は、銅線を編組して構成された外部導体１０２が同軸ケーブル１００の周面に露出させた状態で上記ケーブル保持金具５１に保持されることにより、上記ハウジング５０に固着された状態となっている。上記ケーブル保持金具５１は上記外部接触子６０と電気的に接続されており、上記外部導体１０２のシールド作用によって外界からの電磁波の影響を抑えることにより、高周波信号を安定的に伝達することができるものである。
【００２３】
上述したように、同軸ケーブル１００においては上記外部導体１０２のシールド作用によって外界からの電磁波の影響を抑えたり、或いは伝送中の高周波信号が外部に漏れて外部機器にノイズを発生させたりしないようにしている。
【００２４】
しかしながら、上記同軸ケーブルの内部導体１０１を上記外部接触子に接続している個所においては、上記外部導体１０２からは露出している。このため、この個所が外界からの電磁波の影響を受けたり、或いは伝送中の高周波信号が外部に漏れたりする恐れがある。
【００２５】
そこで、図４に示した配線接続用プラグ４００の場合には、本体ケース５０ａ側に金属製のシールドケース４０１を配設するとともに、蓋体ケース５０ｂ側にも同じく金属製のシールドカバー４０２を配設して、上記蓋体ケース５０ｂと上記本体ケース５０ａとを閉じて使用している際には、上記外部導体１０２から露出している個所を上記シールドケース４０１及びシールドカバー４０２によってシールドするようにしていた。
【００２６】
上述したように、上記ケーブル保持金具５１は上記シールドケース４０１と接続されているので、上記ケーブル保持金具５１の部分にも誘導電流が流れると思われる。しかしながら、上記ケーブル保持金具５１に対応するシールド用金属は蓋体ケース５０ｂ側には存在しなかったので、上記ケーブル保持金具５１部分にはシールド作用が働かなくて、従来はこの部分から不要な放射が発生したり、或いは外界からの電磁波の影響を受けたりする不都合があった。
【００２７】
本実施の形態においては、このような不都合を解消するために、上記ケーブル保持金具５１に対応する個所に第２のシールドカバー４０３を形成している。すなわち、蓋体ケース５０ｂ側にシールドカバー４０２及び第２のシールドカバー４０３を配設している。これにより、本体ケース５０ａ側においてシールド部材として作用しているシールドケース４０１及びケーブル保持金具５１とのバランスがよくなる。
【００２８】
したがって、上記外部導体１０２から露出している同軸ケーブルの内部導体１０１に高周波電流が流れて、隣接するシールドケース４０１及びケーブル保持金具５１に誘導電流が流れても、それによる悪影響を打ち消す誘導電流が上記シールドカバー４０２及び第２のシールドカバー４０３に流れるので、これらの誘導電流により発生する悪影響を確実に打ち消すことが可能となる。
【００２９】
また、上記同軸コネクタ部５２に対応させて第２のシールドカバー４０３を配設したので、上記ケーブル保持金具５１から外部にノイズを放射したり、或いは外界からの電磁波が上記ケーブル保持金具５１に入射したりするのを防止することができて、電圧定在波比を安定させることができる。
【図面の簡単な説明】
【００３０】
【図１】本考案の実施の形態を示し、配線接続用プラグの概略構成を説明するための斜視図である。
【図２】本考案の実施の形態を示し、配線接続用プラグの概略構成を説明するための側面図である。
【図３】実施の形態の配線接続用プラグの使用例を示す図である。
【図４】従来例を示し、配線接続用プラグの概略構成を説明するための斜視図である。
【符号の説明】
【００３１】
１０  配線接続用プラグ
５０  ハウジング
５０ａ  本体ケース
５０ｂ  蓋体ケース
５１  ケーブル保持金具
５２  同軸コネクタ部
５３  円柱部
５４  内部接触子
５４ａ  内部接触子の一端部
５５  固定ネジ
６０  外部接触子
１００  同軸ケーブル
１０１  同軸ケーブルの内部導体
１０２  外部導体
１０３  絶縁体
１０４  外部被覆体
【図１】
0003101238.tif 000003
【図２】
0003101238.tif 000004
【図３】
0003101238.tif 000005
【図４】
0003101238.tif 000006